(57)【要約】      （修正有）【課題】メガネとの着脱が簡単に行え、メガネのつるの最適な箇所での固定を可能にするメガネチェーンを提供する。【解決手段】従来のメガネチェーンが持つ長さと装着時の欠点を、磁石留め金具での脱着、伸縮性のあるチェーンの利用、メガネ留めによって解消し、なおかつ装飾性をも兼ね備えたメガネチェーンである。【選択図】図１
0003171296.tif 000002
【実用新案登録請求の範囲】
【請求項１】
「ゆかりんぐーYUKARINGー」は従来のメガネチェーンが持つ長さと装着時の欠点を、磁石留め金具での脱着、伸縮性のあるチェーンの利用、メガネ留め（公序良俗違反につき、不掲載）によって解消し、なおかつ装飾性を兼ね備えたメガネチェーンである。
【請求項２】
メガネと「ゆかりんぐーYUKARINGー」の装着は、特殊なメガネ留め（公序良俗違反につき、不掲載）で留めて行う。メガネ留め（公序良俗違反につき、不掲載）は摩擦力が大きな合皮を輪にし、本件で考案した金具Yを最適な箇所で固定させて本考案の特殊なメガネを留めるメガネ留めである。
【考案の詳細な説明】
【技術分野】
【０００１】
本考案は、磁石留め金具による脱着と、伸縮性のある素材のチェーンを使い、メガネ留め「ピタリング」を使用することで機能美と装飾性を兼ね備えたメガネチェーン「ゆかりんぐーYUKARINGー」に関する考案である。
【背景技術】
【０００２】「ゆかりんぐーYUKARINGー」は磁石留め金具で脱着ができ、メガネとの装着時には本案件の考案品、メガネ留め（公序良俗違反につき、不掲載）を用い、チェーンの代わりに伸びる素材のゴムやテグスを使用するメガネチェーンである。
【考案の概要】
【考案が解決しようとする課題】
【０００３】
従来のメガネチェーンは頭から被る形状のため、装着しやすさを考えると長くなってしまう。さらに装着時にヘアスタイルの乱れが生じたり、帽子を被っている際には脱着の度に帽子をはずして装着しなければならないという不具合もあった。一番の問題はメガネの位置が着席時のテーブルの高さより下に来てしまうため、体を動かす度にメガネ本体をテーブルで傷つけてしまうということである。
【０００４】
従来のメガネ留めは伸びるシリコン素材を用いメガネと固定する構造であるため、メガネ留めが微力の力ですぐに伸び、固定能力が減少し、メガネチェーンがはずれ易くなるという欠点があった。
【課題を解決するための手段】
【０００５】
メガネチェーン「ゆかりんぐーYUKARINGー」はチェーン部分に伸びる材質を用いることでチェーンの長さが短くともメガネ装着が容易に出来る。伸びる素材としてはゴム、伸びるテグス(アンタロン，テビロン，モビロン，オペロン，クリアコードなど）を用いる。
【０００６】
「ゆかりんぐーYUKARINGー」は磁石留め金具により脱着が容易となるため、ヘアースタイルの乱れを気にせずメガネ装着が可能となる。
【０００７】メガネと「ゆかりんぐーYUKARINGー」の装着時には、特殊なメガネ留め（公序良俗違反につき、不掲載）を使用する。（公序良俗違反につき、不掲載）は本案件の考案者が開発した従来のメガネ留めとは全く異なる画期的なメガネ留めである。これは摩擦力が大きな合皮を輪にし、本件で考案した金具Yを最適な箇所で固定させることにより、メガネをぴたりと留めるものである。これにより、伸びてメガネから外れやすいという従来のメガネ留めの欠点が解消される。【０００８】
「ゆかりんぐーYUKARINGー」は装飾性のあるチェーンをメガネのつるに固定するため、耳に負担をかけることなく、重いイヤリングやピアスと同様な効果を演出することが出来る。
【考案の効果】
【０００９】
「ゆかりんぐーYUKARINGー」は従来のメガネチェーンが持つ長さと装着時の欠点を、磁石留め金具での脱着と、チェーンの代わりに伸縮性のある素材を用いることで解消し、なおかつ装飾性をも兼ね備えたメガネチェーンである。
【図面の簡単な説明】
【００１０】
【図１】本考案に係る「ゆかりんぐーYUKARINGー」の一例を示す概略斜視図である。
【図２】本考案に係るメガネ留め（公序良俗違反につき、不掲載）をメガネに装着した際の概略斜視図である。
【図３】本考案に係るメガネ留め（公序良俗違反につき、不掲載）の使用法を説明する仕様概略斜視図である。
【図４】（a）は本考案に係るメガネ留め（公序良俗違反につき、不掲載）の金具Yの正面図、（ｂ）は同じく側面図、（ｃ）は同じく上面図と底面図、（ｄ）は同じく斜面図である。
【図５】本考案に係る「ゆかりんぐーYUKARINGー」と従来のメガネチェーンの使用比較図。（a）従来のメガネチェーン使用図、（ｂ）「ゆかりんぐーYUKARINGー」の使用図である。
【考案を実施するための形態】
【００１１】以下に、本考案に係る「ゆかりんぐーYUKARINGー」の実施例を図１乃至図５に基づいて説明する。本考案に係るメガネチェーン「ゆかりんぐーYUKARINGー」の一例を示す図１乃至図２において、１は磁石留め金具、２はメガネ留め（公序良俗違反につき、不掲載）、３は装飾部、４は伸縮性のあるチェーンを示す。メガネ留め（公序良俗違反につき、不掲載）の拡大図である図３において、５は金具Y、６はワニ口クリップ、７は合皮の紐、８は金具Yの可動域を示す。金具Yの拡大図である図４において、９は直線部、10は曲線部を示す。、従来のメガネチェーンと「ゆかりんぐーYUKARINGー」の使用比較図である図５において、（a）従来のメガネチェーン使用図、（b）「ゆかりんぐーYUKARINGー」使用図を示す。
【００１２】磁石留め金具１によって、メガネに装着した「ゆかりんぐーYUKARINGー」の脱着が簡単に行える。またメガネ留め（公序良俗違反につき、不掲載）２はメガネのつるの最適な箇所での固定を可能にする。チェーン４に伸びる素材を使用することで、短いために生じる不快感を解消できる。3の装飾部分のデザインによってイヤリングやピアスと同様な効果を演出できる。
【００１３】図３では（公序良俗違反につき、不掲載）の仕様を示す。７の合皮の紐の輪にメガネのつるを装着し、５のメガネ留め（公序良俗違反につき、不掲載）の金具Yを移動させ、ぴたりと固定する。６のワニ口クリップは７の合皮の紐の固定と、３の装飾部の接合を担っている。
【００１４】
金具Yは９直線部と１０曲線部で構成されているため、金具Yを手で移動する際に手になじみ易い。メガネのつるに合皮の輪の部分を通し、最適な場所で金具Yを固定させる。
【００１５】
図５では従来のメガネチェーンと「ゆかりんぐーYUKARINGー」の使用比較を示す。（a）従来のメガネチェーン使用図のとおり、従来のメガネチェーンは長くて胸の下にメガネが来る。図５（ｂ）「ゆかりんぐーYUKARINGー」使用図では、メガネの位置が胸の上に来る。
これにより着席時に体を動かす度にメガネ本体をテーブルで傷つけてしまうという不具合を解消できる。
【符号の説明】
【００１６】１  磁石留め金具２  メガネ留め（公序良俗違反につき、不掲載）３  装飾部  ４  チェーンの代わりに用いる伸縮性のある素材５  メガネ留め（公序良俗違反につき、不掲載）の金具Y６  ワニ口クリップ７  合皮の紐８  メガネ留め（公序良俗違反につき、不掲載）の金具Yの可動域９  メガネ留め（公序良俗違反につき、不掲載）の金具Yの直線部１０  メガネ留め（公序良俗違反につき、不掲載）の金具Yの曲線部
【図１】
0003171296.tif 000003
【図２】
0003171296.tif 000004
【図３】
0003171296.tif 000005
【図４】
0003171296.tif 000006
【図５】
0003171296.tif 000007
【手続補正書】
【提出日】平成23年8月28日(2011.8.28)
【手続補正１】
【補正対象書類名】実用新案登録請求の範囲
【補正対象項目名】全文
【補正方法】変更
【補正の内容】
【実用新案登録請求の範囲】
【請求項１】
一端に磁石留め金具を備え、もう一端にメガネ留めを接続したゴム等の伸縮性のある材質のチェーンの対からなるメガネチェーン。
【請求項２】
前記メガネ留め本体は摩擦力が大きな合皮を輪にしたもので、直線部及び曲線部からなる筒状によって、前記輪を絞ることでメガネのつるを固定することを特徴とする請求項１記載のメガネチェーン。
【手続補正２】
【補正対象書類名】明細書
【補正対象項目名】全文
【補正方法】変更
【補正の内容】
【考案の詳細な説明】
【技術分野】
【０００１】
本考案は、一端に磁石留め金具を備え、もう一端にメガネ留めを接続したゴム等の伸縮性のある        
材質のチェーンの対からなるメガネチェーンで、そのメガネ留め本体は摩擦力が大きな合皮を輪にしたものを直線部及び曲線部からなる筒状の金具によって、前記輪を絞ることでメガネのつるを固定することを特徴とするメガネチェーンに関するものである。
【背景技術】
【０００２】
磁石留め金具を取り付けてメガネチェーンの着脱を可能とし、もう一端にメガネ留めを接続した    
１対のメガネチェーン。チェーン部分には伸びる素材のゴムやテグス等を使用し、メガネ留め本体は摩擦力が大きな合皮を輪にしたもので直線部及び曲線部からなる筒状によって、前記輪を絞ることでメガネのつるを固定することを特徴とする。
【考案の概要】
【考案が解決しようとする課題】
【０００３】
従来のメガネチェーンは頭から被る形状のため、装着しやすさを考えると長くなってしまう。               
さらに装着時にヘアスタイルの乱れが生じたり、帽子を被っている際には脱着の度に帽子をはずして装着しなければならないという不具合もあった。一番の問題はメガネの位置が着席時のテーブルの高さより下に来てしまうため、体を動かす度にメガネ本体をテーブルで傷つけてしまうということである。
【０００４】
従来のメガネ留めは伸びるシリコン素材を用いメガネと固定する構造であるため、メガネ留めが微力の力ですぐに伸び、固定能力が減少し、メガネチェーンがはずれ易くなるという欠点があった。
【課題を解決するための手段】
【０００５】
本考案はチェーン部分に伸びる材質を用いることでチェーンの長さが短くともメガネ装着が容易に出来るものである。伸びる素材としてはゴム、伸びるテグス(アンタロン，テビロン，モビロン，オペロン，クリアコードなど）を用いる。
【０００６】
本考案は磁石留め金具により脱着が容易となるため、ヘアースタイルの乱れを気にせずメガネ装着が可能となる。
【０００７】
メガネとの装着時には、特殊なメガネ留めを使用する。これは摩擦力が大きな合皮を輪にし、本件で考案した金具を最適な箇所で固定させることにより、メガネをぴたりと留めるものである。これにより、伸びてメガネから外れやすいという従来のメガネ留めの欠点が解消される。
【０００８】
このメガネチェーンは装飾性のある素材を装着しメガネのつるに固定することで、耳に負担をかけることなく、重いイヤリングやピアスと同様な効果を演出することが出来る。
【考案の効果】
【０００９】
本案件は従来のメガネチェーンが持つ長さと装着時の欠点を、磁石留め金具での脱着と、チェーンの代わりに伸縮性のある素材を用いることで解消し、なおかつ装飾性をも兼ね備えたメガネチェーンである。
【図面の簡単な説明】
【００１０】
【図１】本考案に係るメガネチェーンの一例を示す概略斜視図である。
【図２】本考案に係るメガネ留めをメガネに装着した際の概略斜視図である。
【図３】本考案に係るメガネ留めの使用法を説明する仕様概略正面図である。
【図４】（a）は本考案に係るメガネ留め金具の正面図、（ｂ）は同じく側面図、（ｃ）は同じく上    面図と底面図、（ｄ）は同じく斜面図である。
【図５】本考案に係るメガネチェーンと従来のメガネチェーンの使用比較図。（a）従来のメガネ  チェーン使用図、（ｂ）本案件のメガネチェーン使用図である。
【考案を実施するための形態】
【００１１】
以下に、本考案に係るメガネチェーンの実施例を図１乃至図５に基づいて説明する。本考案に係    
るメガネチェーンの一例を示す図１乃至図２において、１は磁石留め金具、２はメガネ留め金具、
３は装飾部、４は伸縮性のあるチェーンを示す。メガネ留めの拡大図である図３において、５はメガネ留め金具、６はワニ口クリップ、７は合皮の紐、８はメガネ留め金具の可動域を示す。メガネ留め金具の拡大図である図４において、９は直線部、10は曲線部を示す。従来のメガネチェーンと本案件のメガネチェーン使用比較図である図５において、（a）従来のメガネチェーン使用図、（b）本案件のメガネチェーン使用図を示す。
【００１２】
磁石留め金具１によって、メガネに装着した本案件メガネチェーンの脱着が簡単に行える。またメガネ留め金具２はメガネのつるの最適な箇所での固定を可能にする。チェーン４に伸びる素材を使用することで、短いために生じる不快感を解消できる。３の装飾部分のデザインによってイヤリングやピアスと同様な効果を演出できる。
【００１３】
図３ではメガネ留めの仕様を示す。７の合皮の紐の輪にメガネのつるを装着し、５のメガネ留め金具を移動させ、ぴたりと固定する。６のワニ口クリップは７の合皮の紐の固定と、３の装飾部の接合を担っている。
【００１４】
メガネ留め金具は９直線部と１０曲線部で構成されているため、この金具を手で移動する際に手になじみ易い。メガネのつるに合皮の輪の部分を通し、最適な場所で金具を固定させる。
【００１５】
図５では従来のメガネチェーンと本案件のメガネチェーンの使用比較を示す。（a）従来のメガネチェーン使用図のとおり、従来のメガネチェーンは長くて胸の下にメガネが来る。図５（ｂ）本案件のメガネチェーン使用図では、メガネの位置が胸の上に来る。
これにより着席時に体を動かす度にメガネ本体をテーブルで傷つけてしまうという不具合を解消できる。
【符号の説明】
【００１６】
１  磁石留め金具
２  メガネ留め
３  装飾部  
４  チェーンの代わりに用いる伸縮性のある素材
５  メガネ留め金具
６  ワニ口クリップ
７  合皮の紐
８  メガネ留め金具の可動域
９  メガネ留め金具の直線部
１０  メガネ留め金具の曲線部